(57)【要約】【課題】髪の毛に装着する髪止め具と一体化された人工毛髪保持具に容易に脱着可能とされ、かつ容易に交換が可能な人工毛髪を取り付けることができる髪止め具、及び髪止め具に取り外し可能に一体化される人工毛髪と、人工毛髪装着装置とを提案することを目的とする。【解決手段】髪の毛を挟持する髪止め具であって、挟持した前記髪の毛に隣接して人工毛髪を装着するための人工毛髪保持具を一体的に備える髪止め具とする。さらに好ましくは、相互に咬合する一対の髪止め櫛羽根を、中央に空間を形成するように付勢し、髪の毛を束ねた状態で、形成した空間内に挟持するとともに、人工毛髪をその内部に保持するための人工毛髪保持具を空間内に備える髪止め具とする。【選択図】図１
0003167375.tif 000002
【実用新案登録請求の範囲】
【請求項１】
髪の毛を挟持する髪止め具であって、
挟持した前記髪の毛に隣接して人工毛髪を装着するための人工毛髪保持具を一体的に備える
ことを特徴とする髪止め具。
【請求項２】
請求項１に記載の髪止め具において、
相互に咬合する一対の髪止め櫛羽根を、中央に空間を形成するように付勢し、髪の毛を束ねた状態で、形成した前記空間内に挟持するとともに、
人工毛髪をその内部に保持するための人工毛髪保持具を前記空間内に備える
ことを特徴とする髪止め具。
【請求項３】
請求項１または請求項２に記載の髪止め具において、
前記人工毛髪保持具は、前記髪止め具の長手方向に平行な中空形状である
ことを特徴とする髪止め具。
【請求項４】
一端が束ねられて他端が自由端とされた
ことを特徴とする人工毛髪。
【請求項５】
請求項１乃至請求項３のいずれか一項に記載の髪止め具と、請求項４に記載の人工毛髪と、を備える人工毛髪装着装置において、
前記髪止め具の前記人工毛髪保持具の前記中空空間内において、前記人工毛髪の束ねられた前記一端が係合される
ことを特徴とする人工毛髪装着装置。
【請求項６】
請求項５に記載の人工毛髪装着装置において、
前記人工毛髪の束ねられた一端には、前記人工毛髪を束ねるとともに、前記人工毛髪保持具の内壁に係合する第一係合部を備えた筒状の束ね具が設けられ、
前記人工毛髪保持具は、その中空の内壁に前記束ね具の前記第一係合部と係合する第二係合部を備え、
前記第一係合部と前記第二係合部とが係合することで、前記人工毛髪が前記髪止め具に対して脱着可能に保持される
ことを特徴とする人工毛髪装着装置。
【考案の詳細な説明】
【技術分野】
【０００１】
本考案は、髪止め具及び髪止め具に取り外し可能に一体化される人工毛髪と人工毛髪装着装置とに関する。
【背景技術】
【０００２】
髪の毛の装飾品として、花等の植物や動物等のキャラクタなどをモチーフにしたワンポイント的なアクセサリーをピン止めする髪飾りが一般に広く使用されている。また、ファッションショーや結婚式の披露宴などにおいては、華やかな雰囲気の衣装に合わせた装飾効果の高い髪飾りが用いられている。
【０００３】
また、コンサートホールやファッションショーのステージあるいはディスコなどの照明効果を凝らす場所において、印象が強くて変化に富んだ装飾効果を得ることができる、演出効果の高い髪飾りの提供を目的とし、ＬＥＤ及びその駆動用の電池を備えた発光部と、多数本の光ファイバと、それら光ファイバ群の一端側を結束する結束部と、発光部を髪の毛に止めるための係止具とからなり、ＬＥＤからの光が各光ファイバの端面に入射するように構成された髪飾りが提案されている。
【０００４】
例えば下記特許文献１には、発光部を髪の毛に止め、多数本の光ファイバを髪の毛に沿って垂らすか、あるいは髪の毛に絡ませて使用すると、あたかも髪の毛が発光しているように見えるので、照明を落とした場所や暗がり等においても十分な装飾効果を期待できる髪飾りであって、髪の毛の揺れとともに光ファイバが揺れて発光位置が動くので、印象が強くて変化のある装飾効果を得ることができ、ステージに出演するミュージシャンやダンサーなどが装着すれば、それら出演者の動きを強調した演出効果を得ることができ、ステージの華やかさをより一層盛り上げることができる髪飾りが開示されている。
【先行技術文献】
【特許文献】
【０００５】
【特許文献１】特開２０００−０７００２８号公報
【考案の概要】
【考案が解決しようとする課題】
【０００６】
従来、人工毛髪は頭髪への編み込みによる装着が為されており、容易に脱着することが困難であった。また、ファッションや毛髪飾りの一環として、種々の色彩や形状、長さを有する人工毛髪を自毛に対して追加的に設ける髪装飾が浸透するにつれて、その日の服装や気分に合わせてさらに容易に選択や交換が可能な人工毛髪とその取り付け手段とが求められている。
【０００７】
本考案は、上述のような問題点に鑑み為されたものであって、髪の毛に装着する髪止め具と一体化された人工毛髪保持具に容易に脱着可能とされ、かつ容易に交換が可能な人工毛髪を取り付けることができる髪止め具、及び髪止め具に取り外し可能に一体化される人工毛髪と、人工毛髪装着装置とを提案することを目的とする。
【課題を解決するための手段】
【０００８】
本考案の髪止め具は、髪の毛を挟持する髪止め具であって、挟持した髪の毛に隣接して人工毛髪を装着するための人工毛髪保持具を一体的に備えることを特徴とする。
【０００９】
また、本考案の髪止め具は、好ましくは相互に咬合する一対の髪止め櫛羽根を、中央に空間を形成するように付勢し、髪の毛を束ねた状態で形成した空間内に挟持するとともに、人工毛髪をその内部に保持するための人工毛髪保持具を空間内に備えることを特徴とする。
【００１０】
また、本考案の髪止め具は、さらに好ましくは人工毛髪保持具が、髪止め具の長手方向に平行な中空形状であることを特徴とする。
【００１１】
また、本考案の人工毛髪は、一端が束ねられて他端が自由端とされたことを特徴とする。
【００１２】
また、本考案の人工毛髪装着装置は、上述のいずれかの髪止め具と、上述の人工毛髪と、を備える人工毛髪装着装置であって、人工毛髪は、髪止め具の人工毛髪保持具の中空空間内において、束ねられた一端が係合されることを特徴とする。
【００１３】
また、本考案の人工毛髪装着装置は、好ましくは人工毛髪の束ねられた一端には、人工毛髪を束ねるとともに、人工毛髪保持具の内壁に係合する第一係合部を備えた筒状の束ね具が設けられ、人工毛髪保持具は、その中空の内壁に束ね具の第一係合部と係合する第二係合部を備え、第一係合部と第二係合部とが係合することで、人工毛髪が髪止め具に対して脱着可能に保持されることを特徴とする。
【考案の効果】
【００１４】
髪の毛に装着する髪止め具と一体化された人工毛髪保持具に容易に脱着可能とされ、かつ容易に交換が可能な人工毛髪を取り付けることができる髪止め具、及び髪止め具に取り外し可能に一体化される人工毛髪と、人工毛髪装着装置とを実現できる。
【図面の簡単な説明】
【００１５】
【図１】人工毛髪保持具を備えた髪止め具の構成概要を説明する図である。
【図２】髪止め具に適用される付け替え人工毛髪を説明する概念図である。
【図３】髪止め具に付け替え人工毛髪を取り付けた人工毛髪装着装置を説明する図である。
【図４】相互の咬合する一対の櫛羽根を有する髪止め具を開いた状態で説明する概念図である。
【図５】一対の櫛羽根を相互に咬合させた状態の髪止め具を説明する図である。
【図６】相互の咬合する一対の櫛羽根を有する髪止め具を開いた状態で開口側から説明する概念図である。
【図７】一対の櫛羽根を相互に咬合させた状態の髪止め具を長手方向から観察した状態について説明する図である。
【考案を実施するための形態】
【００１６】
図１は、人工毛髪保持具１５０を備えた髪止め具１００の構成概要を説明する図である。図１に示すように、髪止め具１００は、任意の図柄等が描かれた任意形状の装飾板１１０と、装飾板１１０の内壁一端部に設けられたアーム支持部１４０と、アーム１２０とを備える。
【００１７】
アーム１２０は、髪の毛に通されて装飾板１１０の内壁との間に形成される空間に髪の毛を挟持した状態で、内壁他端部に設けられた止め具１３０に係止される。これにより、髪止め具１００は、使用者の髪の毛との間の摩擦力により、一定の位置に保持されて装飾具としての機能を発揮する。また、人工毛髪保持具１５０は、髪止め具１００に対し接着剤等で固定されてもよいし、他の係止具または固定具により固定されてもよい。また、人工毛髪は、人間の毛髪を束ねて形成したものであってもよく、化学繊維であってもよい。また、人間の毛髪と化学繊維とを混成して形成したものであってもよい。
【００１８】
人工毛髪保持具１５０は、中空形状であり、内部に人工毛髪の束が挿入可能である。また、人工毛髪保持具１５０は、中空形状の内壁にリング状凹形状の第二係合部１５１が設けられる。第二係合部１５１が人工毛髪と係合することで、挿入された人工毛髪の束は、人工毛髪保持具１５０の内部に係止される。また、髪止め具１００は、同一の人工毛髪保持具１５０を備えつつ装飾板１１０の絵柄や色彩を異なるものとして、複数準備しておくことができる。
【００１９】
図２は、髪止め具１００に適用される付け替え人工毛髪２００を説明する概念図である。人工毛髪２１０は、髪の毛の増量を期待するユーザや、部分的に異なる形状や色の髪の毛を施しアクセントとしての装飾を期待するユーザなど、いわゆる自毛に対して後発的に追加される他人の毛髪や加工毛髪であってもよい。
【００２０】
また、人工毛髪２１０は、その色や太さ、長さ、カール有無、形状等を任意のものとすることができる。また、付け替え人工毛髪２００は、同一のアダプタ２２０を備え、人工毛髪２１０部分の色や形状等を異なる特徴を有するものとして複数種類を準備しておき、その日のファッション等に併せて付け替えることができる。
【００２１】
アダプタ２２０は、人工毛髪２１０を束ねる機能を有するとともに、その外側面にリング状凸形状の第一係合部２３０を備える。アダプタ２２０は人工毛髪保持具１５０の内部に挿入されて、リング状凹形状の第二係合部１５０と、リング状凸形状の第一係合部２３０とが、係合することで、付け替え人工毛髪２００は、髪止め具１００に保持される。
【００２２】
第一係合部２３０と第二係合部１５０とは、上述の説明に限定されるものではなく、人工毛髪２１０の脱落を防止し得る程度の係合力を生じて付け替え人工毛髪２００を取り換え可能に保持できるものであれば、他の公知の係止手段であってもよい。
【００２３】
図３は、髪止め具１００に付け替え人工毛髪２００を取り付けた人工毛髪装着装置１０００を説明する図である。図３に説明する人工毛髪装着装置１０００においては、装飾板１１０の絵柄や色彩と、人工毛髪２１０の色や形状等の特徴と、の組み合わせを任意に選択することができる。
【００２４】
図１及び図３において、人工毛髪保持具１５０は、紙面上下方向に付け替え人工毛髪２００を挿抜可能な構成として備えられているが、これに限定されるものではない。人工毛髪保持具１５０は、紙面左右方向に付け替え人工毛髪２００を挿抜可能な構成として備えられてもよい。付け替え人工毛髪２００の植毛方向と、髪止め具１００に挟持されるユーザの毛髪と、の方向が略同一方向となる構成とすることが、自然なエクステンションを実現する上で好ましい。
【００２５】
図４は、相互の咬合する一対の櫛羽根３１０，３２０を有する髪止め具３００を開いた状態で説明する概念図である。髪止め具３００は、弾性部材３４０で閉じる方向に付勢されており、自然状態においては、人工毛髪保持具３５０を包み込むようにして一対の櫛羽根が咬合して閉じている。
【００２６】
このため、ユーザの髪の毛に装着された状態においては、人工毛髪保持具３５０は外観上見えることがないので、通常の髪止め具と何ら変わらないことから、観察者に違和感を与えることがない。図４から明らかなように、人工毛髪保持具３５０は第二係合部３５１を備える。また、上述したように、第二係合部３５１が挿入された任意の付け替え人工毛髪２００を係止することで、人工毛髪保持具３５０は任意の付け替え人工毛髪２００を一体的に保持することができる。
【００２７】
また、図５は、一対の櫛羽根３１０，３２０を相互に咬合させた状態の髪止め具３００を説明する図である。図５に示す髪止め具３００の状態は、ユーザの髪の毛に装着された状態となる。図５から理解できるように、ユーザの髪の毛に装着された状態においては、人工毛髪保持具３５０がユーザの髪の毛とともに、一対の櫛羽根３１０，３２０内の空間に挟持された状態であるので、外観上何ら違和感を生じることはない。
【００２８】
また、図６は、相互の咬合する一対の櫛羽根３１０，３２０を有する髪止め具３００を開いた状態で開口側から説明する概念図である。図６に示すように、好ましくは人工毛髪２１０が、挟持されるユーザの髪の毛の方向と同方向となるように、人工毛髪保持具３５０が備えられる。
【００２９】
また、図７は、一対の櫛羽根３１０，３２０を相互に咬合させた状態の髪止め具３００を長手方向から観察した状態について説明する図である。図７に示すように、人工毛髪保持具３５０は、挟持されるユーザの髪の毛と一体混然として観察されるように、ユーザの髪の毛に隣接して設けられることとなる。このため、目立たずかつ自然な状態で、後発的に人工毛髪２１０を追加することが可能となる。
【００３０】
上述したように、人工毛髪装着装置１０００等は、容易にかつ自然な状態で、後発的に人工毛髪を取り付けたり、取り外したり、取り換えたりすることができる。また、外観上も従来の髪飾り等と何ら変わりないので、観察者に悟られることもない。
【００３１】
もちろん、装飾として積極的にユーザの髪の毛とは異なる特徴を有した人工毛髪を装着する場合には、この限りではないが、少なくとも髪止め具１００，３００自体の装着に起因して観察者に与える違和感はないに等しいといえる。
【００３２】
本願で提示する髪止め具１００，３００を頭髪に装着し、色や形等種々の特徴を備えた複数の付け替え人工毛髪２００を持参しておけば、結婚式やその後の二次会等ＴＰＯに併せて、おしゃれ感覚で頭髪の装飾を付け替えることも可能となる。また、逆に、色や形等種々の特徴を備えた複数の髪止め具１００，３００を持参しておき、人工毛髪２１０はそのままでＴＰＯに応じて髪止め具１００，３００のみを交換することもできる。また、アダプタ２２０と人工毛髪保持具１５０等は、人工毛髪を髪止め具に一時的に固定し、取り替え可能なアタッチメントであれば、実施例での説明に限定されることはない。例えば、ロック機構を設けて、挿入された人工毛髪が外れないように固定してもよい。
【００３３】
人工毛髪装着装置１０００と髪止め具１００，３００と付け替え人工毛髪２００とは、上述した実施形態での説明に限定されるものではなく、自明な範囲で適宜その形状や構造を変更することができるとともに、自明な範囲で適宜組み合わせることができる。また、人工毛髪保持具１５０，３５０とアダプタ２２０とは、プラスチックや金属等で形成してもよく、同一材料や互いに異なる材料で形成してもよく、また適宜可撓性を有する材料で形成することで、取り付けや取り外し作業がさらに容易となるようにしてもよい。
【符号の説明】
【００３４】
１００・・髪止め具、１５０・・人工毛髪保持具、１５１・・第二係止部、２００・・付け替え人工毛髪、２１０・・人工毛髪、２２０・・アダプタ、２３０・・第一係止部、３００・・髪止め具、３１０・・櫛羽根、３５０・・人工毛髪保持具、１０００・・人工毛髪装着装置。
【図１】
0003167375.tif 000003
【図２】
0003167375.tif 000004
【図３】
0003167375.tif 000005
【図４】
0003167375.tif 000006
【図５】
0003167375.tif 000007
【図６】
0003167375.tif 000008
【図７】
0003167375.tif 000009
【手続補正書】
【提出日】平成23年2月10日(2011.2.10)
【手続補正１】
【補正対象書類名】実用新案登録請求の範囲
【補正対象項目名】全文
【補正方法】変更
【補正の内容】
【実用新案登録請求の範囲】
【請求項１】
髪の毛を挟持する髪止め具であって、
挟持した前記髪の毛に隣接して人工毛髪を装着するための人工毛髪保持具を一体的に備える
ことを特徴とする髪止め具。
【請求項２】
請求項１に記載の髪止め具において、
相互に咬合する一対の髪止め櫛羽根を、中央に空間を形成するように付勢し、髪の毛を束ねた状態で、形成した前記空間内に挟持するとともに、
人工毛髪をその内部に保持するための人工毛髪保持具を前記空間内に備える
ことを特徴とする髪止め具。
【請求項３】
請求項１または請求項２に記載の髪止め具において、
前記人工毛髪保持具は、前記髪止め具の長手方向に平行な中空形状である
ことを特徴とする髪止め具。
【請求項４】
一端が束ねられて他端が自由端とされた
ことを特徴とする、請求項１乃至請求項３のいずれか一項に記載の髪止め具に装着される人工毛髪。
【請求項５】
請求項１乃至請求項３のいずれか一項に記載の髪止め具と、請求項４に記載の人工毛髪と、を備える人工毛髪装着装置において、
前記髪止め具の前記人工毛髪保持具の前記中空空間内において、前記人工毛髪の束ねられた前記一端が係合される
ことを特徴とする人工毛髪装着装置。
【請求項６】
請求項５に記載の人工毛髪装着装置において、
前記人工毛髪の束ねられた一端には、前記人工毛髪を束ねるとともに、前記人工毛髪保持具の内壁に係合する第一係合部を備えた筒状の束ね具が設けられ、
前記人工毛髪保持具は、その中空の内壁に前記束ね具の前記第一係合部と係合する第二係合部を備え、
前記第一係合部と前記第二係合部とが係合することで、前記人工毛髪が前記髪止め具に対して脱着可能に保持される
ことを特徴とする人工毛髪装着装置。